(57)【要約】【課題】虚偽の点呼結果が記録された点呼記録簿の作成を防ぐことができる運行管理システムを提供することである。【解決手段】運行管理システムは、運転手が操作する携帯通信端末１と、運転手の呼気中のアルコール濃度を測定するアルコール測定装置２と、運行管理サーバ３とを備える。携帯通信端末１は、運転手の操作に応じて、点呼記録簿に記録されるべき項目の入力を開始する。携帯通信端末１は、点呼記録簿の項目の入力が開始された場合、アルコール測定装置２から測定結果を取得する。携帯通信端末１は、取得した測定結果についてネットワークを介して前記サーバに供給する。運行管理サーバ３は、携帯通信端末１から供給された測定結果に基づいて、点呼記録簿を作成する。【選択図】図１
2014085727.tif 000002
【特許請求の範囲】
【請求項１】
通信端末と、
運転手の健康状態を測定する測定装置と、
サーバとを備え、
前記通信端末は、
運転手の操作に応じて、点呼記録簿に記録されるべき項目の入力を開始する点呼開始部と、
前記点呼開始部により入力が開始された場合、前記測定装置から測定結果を取得する測定結果取得部と、
前記測定結果取得部により取得された測定結果についてネットワークを介して前記サーバに供給する測定結果供給部とを備え、
前記サーバは、
前記通信端末から供給された測定結果に基づいて前記点呼記録簿を作成する記録簿作成部を備える、運行管理システム。
【請求項２】
請求項１に記載の運行管理システムであって、
前記通信端末はさらに、
ディスプレイと、
前記測定結果供給部が測定結果を前記サーバに供給した後に、前記測定結果を表示するように前記ディスプレイを制御する表示制御部とを備える、運行管理システム。
【請求項３】
請求項１又は請求項２に記載の運行管理システムであって、
前記測定装置は、前記運転手の呼気中のアルコール濃度を検出する装置である、運行管理システム。
【請求項４】
点呼記録簿を作成するサーバと通信可能な通信端末であって、
運転手の操作に応じて、点呼記録簿に記録されるべき項目の入力を開始する点呼開始部と、
前記点呼開始部により入力が開始された場合、前記運転手の健康状態を測定する測定装置から測定結果を取得する測定結果取得部と、
前記測定結果取得部により取得された測定結果についてネットワークを介して前記サーバに供給する測定結果供給部とを備える、通信端末。
【請求項５】
通信端末と、運転手の健康状態を測定する測定装置と、点呼記録簿を作成するサーバとを備える運行監視システムにおいて、前記通信端末に搭載されるコンピュータに、
運転手の操作に応じて、点呼記録簿に記録されるべき項目の入力を開始するステップと、
前記項目の入力が開始された場合、前記測定装置から測定結果を取得するステップと、
前記測定装置から取得された測定結果についてネットワークを介して前記サーバに供給するステップとを実行させるためのプログラム。
【発明の詳細な説明】
【技術分野】
【０００１】
本発明は、運行管理システムに関し、さらに詳しくは、事業用車両の運行を管理する運行管理システムに関する。
【背景技術】
【０００２】
トラック、バスなどの事業用車両の運行管理者は、運転手の乗務前及び乗務後などに、運転手の点呼を行い、点呼の結果を点呼記録簿に記録する。具体的には、運行管理者は、運転手と対面しながら、疾病・疲労等の状況、酒気帯びの有無、車両の点検状況などを運転手に確認する。運行管理者は、点呼結果を点呼記録簿に手書きで記入する。点呼の際に、運転手の酒気帯びの有無を確認する際に、アルコール検知器を使用することが義務付けられている。
【０００３】
また、運転手が乗務を開始する場所が、運行管理者のいる営業所などでない場合、運行管理者は、運転手と電話で通話しながら点呼を行う。この場合、運転手はアルコール検知器を自ら操作し、アルコールの検出結果を運行管理者に報告する。運行管理者は、酒気帯びの有無など、点呼で確認すべき項目に対する質問者の回答を点呼記録簿に記録する。
【０００４】
しかし、電話による点呼の際に、アルコール測定装置が一定量以上のアルコール濃度を測定した場合、運転手が飲酒の事実を隠すために、測定結果を正確に報告しないおそれがある。運行管理者は、アルコール測定装置の測定結果を直接確認することができないため、虚偽の測定結果が点呼記録簿に記入される。
【０００５】
特許文献１には、点呼側装置と非点呼側装置とを備える点呼システムが開示されている。特許文献１において、被点呼側装置は、被点呼者の呼気中のアルコール濃度を測定するアルコール測定装置を備える。アルコール測定装置が、閾値を超えるアルコール濃度を測定した場合、被点呼側装置は、被点呼者が飲酒状態にあることを点呼側装置に通知する。これにより、被点呼者が虚偽の報告をすることが防止される。
【０００６】
しかし、上述のように、運行管理者がアルコール測定装置の測定結果を点呼記録簿に直接記入することに変わりがない。このため、一定量以上のアルコールが、運転手から測定された場合であっても、運行管理者が、酒気帯びの運転手を乗務させるために、虚偽の測定結果を点呼記録簿に記入するおそれがある。このように、運行管理者又は運転手の恣意的な判断が点呼記録簿に記録されることにより、安全確保のための点呼が形骸化するという問題がある。
【０００７】
また、非特許文献１には、携帯通信端末に接続して使用するアルコール検知器が開示されている。携帯通信端末は、ユーザがアルコール検知器に呼気を吹き込んでいる間に、ユーザを撮影して動画像データを生成する。動画像データは、サーバに送信される。ユーザが呼気を吹き込んでいる映像が動画像データとして記録されているため、運行管理者は、運転手がアルコール検知器を使用している様子や、運転手の顔色も確認することができる。しかし、運行管理者が点呼結果を点呼記録簿に手書きで記入する点は変わりがないため、虚偽の検出結果が点呼記録簿に記録される可能性を排除することはできない。
【先行技術文献】
【特許文献】
【０００８】
【特許文献１】特開２０１２−１２３４３１号公報
【非特許文献】
【０００９】
【非特許文献１】株式会社パイ・アール、アルコールチェッカーAlkiller［アルキラー］、平成２４年１０月９日検索、インターネット＜ＵＲＬ：http://www.reco-der.com/html/pc/product/alkiller/＞
【発明の概要】
【発明が解決しようとする課題】
【００１０】
本発明の目的は、虚偽の点呼結果が記録された点呼記録簿の作成を防ぐことができる運行管理システムを提供することである。
【課題を解決するための手段及び発明の効果】
【００１１】
本発明の運行管理システムは、通信端末と、測定装置と、サーバとを備える。測定装置は、運転手の健康状態を測定する。通信端末は、点呼開始部と、測定結果取得部と、測定結果供給部とを備える。点呼開始部は、運転手の操作に応じて、点呼記録簿に記録されるべき項目の入力を開始する。測定結果取得部は、点呼開始部により入力が開始された場合、測定装置から測定結果を取得する。測定結果供給部は、測定結果取得部により取得された測定結果についてネットワークを介してサーバに供給する。サーバは、記録簿作成部を備える。記録簿作成部は、通信端末から供給された測定結果に基づいて点呼記録簿を作成する。
【００１２】
本発明によれば、通信端末は、点呼記録簿に記録されるべき項目の入力が開始された場合、運転手の健康状態の測定結果を測定装置から取得し、取得した測定結果をサーバに供給する。サーバは、供給された測定結果に基づいて点呼記録簿を作成する。運行管理者が点呼すべき確認項目を直接記入しなくてもよいため、虚偽の測定結果が点呼記録簿に記録されることが防止される。
【００１３】
好ましくは、通信端末はさらに、ディスプレイと、表示制御部とを備える。表示制御部は、測定結果供給部が測定結果をサーバに供給した後に、測定結果を表示するようにディスプレイを制御する。
【００１４】
本発明によれば、測定結果がサーバに送信された後に、測定結果がディスプレイに表示されるため、測定結果が点呼記録簿に正確に反映される。
【００１５】
好ましくは、測定装置は、運転手の呼気中のアルコール濃度を検出する装置である。
【００１６】
本発明によれば、運転手の酒気帯びの有無を正確に点呼記録簿に記録することができる。
【００１７】
本発明の通信端末は、本発明の運行管理システムに用いられる。
【００１８】
本発明のプログラムは、本発明の運行管理システムに用いられる。
【図面の簡単な説明】
【００１９】
【図１】本発明の実施の形態による運行管理システムの構成を示す機能ブロック図である。
【図２】図１に示す携帯通信端末の構成を示す機能ブロック図である。
【図３】図１に示すサーバの構成を示す機能ブロック図である。
【図４】図１に示す運行管理システムの動作を示すフロー図である。
【図５】図１に点呼プログラムの実行によりタッチパネルに表示される初期画面を示す図である。
【図６】図１に点呼プログラムを実行によりタッチパネルに表示される点呼の確認項目の入力画面を示す図である。
【図７】図１に示すタッチパネルに表示されるアルコール検出画面を示す図である。
【図８】図２に示す点呼データのデータ構造を示す図である。
【図９】図３に示す点呼記録簿のフォーマットの一例を示す図である。
【発明を実施するための形態】
【００２０】
以下、図面を参照し、本発明の実施の形態を詳しく説明する。図中同一又は相当部分には同一符号を付してその説明は繰り返さない。
【００２１】
［１．運行管理システムの構成］
図１は、本実施の形態に係る運行管理システムの構成を示す機能ブロック図である。図１を参照して、運行管理システムは、携帯通信端末１と、アルコール測定装置２と、運行管理サーバ３とを備える。
【００２２】
携帯通信端末１は、携帯電話、スマートフォン、タブレット型端末などの携帯通信端末である。本実施の形態では、携帯通信端末１がスマートフォンである場合を例に説明する。携帯通信端末１は、トラック、バスなどの事業用車両の運転手により操作され、点呼記録簿に入力すべき項目のデータを受け付ける。携帯通信端末１は、携帯電話通信網、インターネットなどのネットワークを介して、受け付けた項目のデータを運行管理サーバ３に送信する。点呼記録簿の詳細は後述する。
【００２３】
アルコール測定装置２は、運転手の呼気中のアルコール濃度を測定する。アルコール測定装置２は、通信用のケーブルなどを介して携帯通信端末１に接続された上で使用される。アルコール測定装置２は、運転手の乗務前後の点呼、乗務中の点呼の際に使用される。
運行管理サーバ３は、携帯通信端末１から送信されるデータに基づいて、点呼記録簿を作成する
【００２４】
図２は、携帯通信端末１の構成を示す機能ブロック図である。図２を参照して、携帯通信端末１は、ＣＰＵ（Central Processing Unit）１１と、ＲＡＭ（Random Access Memory）１２と、タッチパネル１３と、通信インタフェース１４と、カメラ１５と、フラッシュメモリ１６とを備える。
【００２５】
ＣＰＵ１１は、ＲＡＭ１２にロードされたプログラムを実行して、携帯通信端末１を制御する。ＲＡＭ１２は、携帯通信端末１のメインメモリである。ＲＡＭ１２には、フラッシュメモリ１６に記憶されている各種プログラムがロードされる。
【００２６】
タッチパネル１３は、ＣＰＵ１１によるプログラムの実行結果を表示する。タッチパネル１３は、ユーザの指が触れた位置を操作情報として出力する。
【００２７】
通信インタフェース１４は、無線ＬＡＮ（Local Area Network）又は携帯電話通信網を介してネットワークにアクセスし、ＴＣＰ（Transmission Control Protocol）／ＩＰ（Internet Protocol）を用いて通信する。カメラ１５は、被写体を撮影して動画像データを作成する。
【００２８】
フラッシュメモリ１６は、不揮発性の記憶装置であり、点呼プログラム１７と、点呼データ１８と、測定結果取得プログラム２１（以下、「取得プログラム２１」と呼ぶ。）とを記憶する。なお、点呼プログラム１７と取得プログラム２１とは、１つのプログラムとしてフラッシュメモリ１６に記憶されていてもよい。
【００２９】
点呼プログラム１７は、点呼記録簿に入力されるべき項目（以下、「点呼項目」と呼ぶ。）を入力するためのプログラムであり、携帯通信端末１にインストールされている。点呼データ１８は、運転手が点呼プログラム１７を利用して点呼を行うたびに作成される。点呼データ１８は、測定データ１９と、携帯通信端末１が点呼プログラム１７を実行することにより入力された点呼項目のデータとを含む。点呼データ１８の詳細は後述する。
【００３０】
取得プログラム２１は、アルコール測定装置２により測定されたアルコール濃度の測定結果を取得するプログラムであり、携帯通信端末１にインストールされている。取得プログラム２１は、カメラ１５を制御して、アルコール測定装置２を使用する運転手が撮影された動画像データを作成する。アルコール濃度の測定結果と動画像データとを含む測定データ１９が、取得プログラム２１により作成される。
【００３１】
図３は、運行管理サーバ３の構成を示す機能ブロック図である。図３を参照して、運行管理サーバ３は、ＣＰＵ３１と、ＲＡＭ３２と、ディスプレイ３３と、通信インタフェース３４と、ＨＤＤ（Hard Disk Drive）３５とを備える。
【００３２】
ＣＰＵ３１は、ＲＡＭ３２にロードされたプログラムを実行して、運行管理サーバ３を制御する。ＲＡＭ３２は、運行管理サーバ３のメインメモリである。ＲＡＭ３２には、ＨＤＤ３５に記憶されている各種プログラムがロードされる。
【００３３】
ディスプレイ３３は、ＣＰＵ３１によるプログラムの実行結果や、点呼記録簿３７を表示する。通信インタフェース３４は、ＬＡＮを介してネットワークにアクセスし、ＴＣＰ／ＩＰを用いて携帯通信端末１と通信する。
【００３４】
ＨＤＤ３５は、複数の点呼データ１８と、記録簿作成プログラム３６と、点呼記録簿３７とを記憶する。記録簿作成プログラム３６は、携帯通信端末１から供給される複数の点呼データ１８に基づいて、点呼記録簿３７を作成するプログラムであり、運行管理サーバ３にインストールされている。
【００３５】
［２．運行管理システムの動作］
図４は、運行管理システムの動作を示すフロー図である。以下、図４を参照して、運行管理システムの動作を説明する。
【００３６】
運転手は、車両に乗務する前、乗務の途中、乗務が終了した後に、携帯通信端末１を操作して点呼を行う。以下、乗務前に行われる点呼を「開始点呼」、乗務の途中に行われる点呼を「中間点呼」、乗務後に行われる点呼を「終了点呼」と呼ぶ。ここでは、運転手が開始点呼を行う場合を例にして、運行管理システムの動作を説明する。
【００３７】
運転手は、乗務前に携帯通信端末１を操作して、点呼プログラム１７の起動を指示する。ＣＰＵ１１は、運転手の操作に応じて点呼プログラム１７を起動する（ステップＳ１０１）。ＣＰＵ１１は、図５に示す点呼選択画面をタッチパネル１３に表示する（ステップＳ１０２）。
【００３８】
図５を参照して、点呼選択画面は、開始点呼ボタン６１と、中間点呼ボタン６２と、終了点呼ボタン６３とを備えており、開始点呼、中間点呼及び終了点呼のうちいずれかの点呼を行うように運転手に促す。ユーザが開始点呼ボタン６１にタッチすることにより、ＣＰＵ１１は、開始点呼の質問画面をタッチパネル１３に表示する（ステップＳ１０３）。
【００３９】
なお、図５には示していないが、ＣＰＵ１１は、点呼プログラム１７を起動した場合、携帯通信端末１の識別情報（電話番号）などを運行管理サーバ３に送信してもよい。運行管理サーバ３は、識別情報を受け付けた場合、識別情報に対応する運転手の氏名を携帯通信端末１に送信する。ＣＰＵ１１が、運行管理サーバ３から受け付けた氏名を点呼選択画面に表示することにより、運転手は、自分の氏名が合っているか否かを確認できる。また、運行管理サーバ３は、識別情報を受け付けることにより、携帯通信端末１を所持する運転手が点呼を開始したと判断することができる。
【００４０】
図６及び図７は、質問画面を示す図である。運転手は、質問画面をスクロールすることにより、開始点呼の際に入力すべき様々な項目をタッチパネル１３に表示させる。図７に示す質問画面は、図６に示す質問画面を下にスクロールすることにより表示される。
【００４１】
図６を参照して、例えば、運転手は、項目５１内の質問「熱はないか」に対する回答として、チェックボックス５１ａ，５１ｂのいずれかにチェックを入れる。運転手は、熱がない場合、チェックボックス５１ａにタッチすればよい。
【００４２】
ＣＰＵ１１は、チェックボックス５１ａに対するタッチを受け付けた場合（ステップＳ１０４においてＹｅｓ）、項目５１に対する回答「いいえ」を保持する（ステップＳ１０５）。運転手は、図６又は図７に示す項目５２〜５４に対する回答を順次入力する。また、運転手は、項目５２〜５４に対する回答の他に運行管理者に報告すべき事項がある場合、その他記入欄に配置されたテキストボックス５５に、方向すべき事項を入力する。運転手は、全ての回答を終了した場合、図７に示す報告ボタン５６にタッチする。
【００４３】
運転手が報告ボタン５６にタッチした場合、ＣＰＵ１１は、全ての項目に対する回答が終了したと判断する（ステップＳ１０６においてＹｅｓ）。ＣＰＵ１１は、運転手の呼気中のアルコール濃度を測定するために、取得プログラム２１を起動する（ステップＳ１０７）。ＣＰＵ１１は、アルコール測定装置２を操作するように促すメッセージをタッチパネル１３に表示する。
【００４４】
なお、運転手が報告ボタン５６にタッチした場合、ＣＰＵ１１は、未回答の項目があるか否かを判断してもよい。未回答の項目がある場合、ＣＰＵ１１は、全ての項目に対して回答していないことを通知するメッセージをタッチパネル１３に表示する。
【００４５】
アルコール測定装置２は、運転手の操作に応じて、呼気中のアルコール濃度の測定を開始する（ステップＳ２０１）。アルコール測定装置２は、測定が終了した場合、測定結果を携帯通信端末１に送信する（ステップＳ２０２）。ＣＰＵ１１は、アルコール測定装置２に呼気を吹き込んでいる運転手を撮影して動画像データを生成する（ステップＳ１０８）。
【００４６】
携帯通信端末１がアルコール測定装置２から測定結果を受信した場合（ステップＳ１０９）、ＣＰＵ１１は、取得プログラム２１を実行して、測定結果及び動画像データを含む測定データ１９を作成する（ステップＳ１１０）。再び図４を参照して、ＣＰＵ１１は、作成した測定データ１９をフラッシュメモリ１６に記憶した後に、取得プログラム２１を終了する（ステップＳ１１１）。
【００４７】
このように、点呼プログラム１７は、点呼記録簿に記録されるべき項目の入力の受け付けを開始した場合、アルコール測定装置２による測定結果を自動的に取得する。運転手は、点呼プログラム１７を利用して１人で点呼を行う場合、アルコール測定装置２によるアルコール濃度の測定を自己の判断で省略することはできない。したがって、点呼プログラム１７は、アルコール測定装置２によるアルコール濃度の測定結果を運転手の意図と関係なく取得することができる。
【００４８】
再び、図４を参照して、ＣＰＵ１１は、取得プログラム２１の終了後、点呼プログラム１７の実行を再開する。ＣＰＵ１１は、フラッシュメモリ１６に記憶された測定データ１９と項目に対する回答とを含む点呼データ１８を作成する（ステップＳ１１２）。
【００４９】
図８は、点呼データ１８の構成を示す図である。図８を参照して、点呼日、点呼開始時刻、点呼区別、運転手名、電話番号、項目に対する回答（回答データ１８１）及び測定データ１９が記録される。
【００５０】
点呼日は、点呼を行った日である。点呼開始時刻は、運転手が点呼を開始した時刻である。点呼日及び点呼開始時刻は、点呼プログラム１７の起動を指示した日時に基づいて記録される。点呼区別は、運転手が点呼選択画面においてタッチしたボタンに応じて記録される。運転手が開始点呼ボタン６１をタッチした場合、点呼区別には、「開始点呼」と記録される。
【００５１】
ＣＰＵ１１は、運転手が点呼プログラム１７を起動した後に入力にした氏名を運転手名として記録してもよいし、運行管理サーバ３から取得した氏名を運転手名として記録してもよい。電話番号は、携帯通信端末１に固有の識別情報として記録される。電話番号に代えて、携帯通信端末１のＭＡＣアドレスや、事業者が携帯通信端末１に割り当てた番号などを点呼データ１８に記録してもよい。回答データ１８１には、運転手が質問画面（図６、図７参照）で入力した回答が記録される。測定データ１９は、上述のように、取得プログラム２１によって作成される。
【００５２】
再び、図４を参照して、ＣＰＵ１１は、点呼データ１８を運行管理サーバ３に送信する（ステップＳ１１３）。ＣＰＵ１１は、点呼データ１８の送信後に、アルコール測定装置２から取得した測定結果をタッチパネル１３に表示する（ステップＳ１１４）。
【００５３】
つまり、携帯通信端末１は、アルコール測定装置２から取得した測定結果についてネットワークを介して運行管理サーバ３に供給した後に、測定結果を表示するようにタッチパネルを制御する。これにより、運転手は、酒気帯びの状態を示す基準値以上のアルコール濃度がアルコール測定装置２により測定されたとしても、運行管理者に虚偽の報告をすることができない。運転手が乗務前にアルコールの摂取を控えるようになるため、酒気帯び運転を防止することができる。
【００５４】
運行管理サーバ３は、携帯通信端末１から点呼データ１８を受信した場合（ステップＳ２０１）、受信した点呼データ１８をＨＤＤ３５に保存する。運行管理サーバ３は、ＨＤＤ３５に保存された点呼データ１８に基づいて、点呼記録簿３７を作成する（ステップＳ２０２）。
【００５５】
図９は、運行管理サーバ３により作成される点呼記録簿３７のフォーマットの一例を示す図である。図９を参照して、点呼記録簿３７は、氏名欄７１と、開始点呼欄７２と、中間点呼欄７３と、終了点呼欄７４とを備える。以下、開始点呼欄７２と、中間点呼欄７３と、終了点呼欄７４とを総称して、「点呼欄」と呼ぶ。
【００５６】
運行管理サーバ３は、点呼記録簿３７のテンプレートデータ（図示省略）を保持している。運行管理サーバ３は、点呼データ１８に含まれる各データをテンプレートデータの指定された位置に配置することにより。点呼記録簿３７を作成する。具体的には、図８に示す点呼データ１８の内容が反映された点呼記録簿３７を作成する場合、点呼データ１８が、開始点呼欄７２の領域７２ａに反映される。開始点呼欄７２の「点呼日時」は、点呼データ１８に記録された点呼日及び点呼開始時刻に基づいて記録される。「日常点検の状況」は、点呼データ１８に記録された「質問４」に対する回答に基づいて記録される。「アルコール検知器の使用の有無」及び「酒気帯びの有無」は、測定データ１９に基づいて記録される。「疾病・疲労等の状況」は、「質問１」〜「質問３」に対する回答に基づいて記録される。
【００５７】
領域７３ａ，７４ａには、中間点呼の点呼データ（中間点呼データ）、終了点呼の点呼データ（終了点呼データ）に基づく点呼結果が記録される。運行管理サーバ３は、複数の中間点呼データの中から、図８に示す点呼データ１８に記録された点呼日、運転手名及び電話番号と同じデータが記録されたデータを抽出し、抽出したデータに基づいて、中間点呼の結果を領域７３ａに記録する。同様に、終了点呼の結果が、図８に示す点呼データ１８に記録された運転手名及び点呼日と同じデータが記録された終了点呼データに基づいて領域７４ａに記録される。
【００５８】
運行管理サーバ３は、点呼データ１８をＨＤＤ３５に記録した後直ちに点呼記録簿を作成しなくてもよい。例えば、開始点呼の点呼データ１８と、終了点呼の点呼データ１８とがＨＤＤ３５に保存された場合に、運行管理サーバ３は、点呼記録簿３７を作成すればよい。このように、運行管理サーバ３が点呼記録簿３７を作成するタイミングは、特に限定されない。
【００５９】
このように、運行管理サーバ３は、測定データ１９を含む点呼データ１８に基づいて、点呼記録簿３７を作成する。したがって、運行管理者が、運転手が酒気帯びの状態であると確認したにもかかわらず、運転手が酒気帯びでないという虚偽の内容を点呼記録簿に書き込むことを防止することができ、運転手に酒気帯びのまま車両に乗務させることを防止することができる。
【００６０】
上記実施の形態では、アルコール測定装置２が運転手の呼気中のアルコール濃度を測定し、アルコール測定装置２の測定結果が運行管理サーバ３に送信される例を説明したが、これに限られない。携帯通信端末１は、運転手の体温の測定結果を体温計から取得し、取得した測定結果を含む測定データ１９を運行管理サーバ３に送信してもよい。すなわち、携帯通信端末１は、運転手の健康状態を測定する測定装置から測定結果を取得し、取得された測定結果を運行管理サーバ３に送信すればよい。
【００６１】
上記実施の形態では、携帯通信端末１が、アルコール測定装置２の測定結果をタッチパネル１３に表示する例を説明したがこれに限られない。携帯通信端末１は、アルコール測定装置２の測定結果に応じて、車両の動作を制御するようにしてもよい。例えば、酒気帯び状態を示すアルコール濃度がアルコール測定装置２により検出された場合、ＣＰＵ１１は、車両のエンジンがかからなくなるように車両を制御してもよい。
【００６２】
上記実施の形態では、アルコール測定装置２が携帯通信端末１に接続される例を説明したが、これに限られない。アルコール測定装置２は、ノート型のパーソナルコンピュータ（パソコン）、あるいは据え置き型の機器（例えば、デスクトップ型のパソコン）などの通信端末に接続されてもよい。この場合、点呼プログラム１７及び取得プログラム２１は、ノート型のパソコン、デスクトップ型のパソコンにインストールされる。すなわち、通信端末は、アルコール測定装置２から測定結果を取得し、取得した測定結果をサーバに送信することができればよい。
【００６３】
上記実施の形態では、アルコール測定装置２が携帯通信端末１に接続される例を説明したが、これに限られない。携帯通信端末１がアルコール測定装置を内蔵していてもよい。これにより、運転手は点呼の際に複数の機器を操作しなくてもよい。
【００６４】
上記実施の形態において、点呼プログラム１７が携帯通信端末１にインストールされている例を説明した。点呼プログラム１７をインストールする方法は、特に限定されない。例えば、点呼プログラム１７は、ネットワークに接続されたサーバからダウンロードされ、携帯通信端末１にインストールされてもよい。あるいは、点呼プログラム１７を記録したコンピュータ読み取り可能な媒体（例えば、光ディスク、ＵＳＢ（Universal Serial Bus）メモリ、フレキシブルディスクなど）が配布されている場合、点呼プログラム１７は、その媒体から携帯通信端末１にインストールされてもよい。運行管理サーバ３にインストールされた記録簿作成プログラム３６についても同様である。
【００６５】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００６６】
１  携帯通信端末
２  アルコール測定装置
３  運行管理サーバ
１１，３１  ＣＰＵ
１２，３２  ＲＡＭ
１５  カメラ
１７  点呼プログラム
１８  点呼データ
１９  測定データ
２１  測定結果取得プログラム
３６  記録簿作成プログラム
３７  点呼記録簿
【図１】
2014085727.tif 000003
【図２】
2014085727.tif 000004
【図３】
2014085727.tif 000005
【図４】
2014085727.tif 000006
【図５】
2014085727.tif 000007
【図６】
2014085727.tif 000008
【図７】
2014085727.tif 000009
【図８】
2014085727.tif 000010
【図９】
2014085727.tif 000011